(57)【要約】【課題】流通時に収納物が蓋体に付着する虞れがなく、また、開封前はもとより開封後も充分な気密性を得られ、取出口の大きさにも充分な自由度があり、スプーンを使用しての収納物の取り出しが容易に行える開閉蓋付き容器を提案する。【解決手段】口頸部３の上端開口を剥離可能なシール材５により密閉シールした容器体Ａと、口頸部３の外周に突条相互の乗り越え係合により係止された固定枠B1を嵌着させるとともに、固定枠の頂板11に画成された取出口14を閉塞する蓋板23を固定枠に揺動可能に連結した蓋体Ｂとを備え、蓋体Ｂの離脱後にシール材を剥離し、再び蓋体を嵌着して使用する。その際取出口14縁部に突設した可撓性の連結片18を介して突設したプルリング19により容易に蓋体の取り外しを行える。口頸部３は楕円筒状であるため、取出口を大きく形成できる。【選択図】図１
2007261674.tif 000002
【特許請求の範囲】
【請求項１】
口頸部３の上端開口を剥離可能なシール材５で密閉シールした容器体Ａと、口頸部３の外周に突条相互の乗り越え係合により係止された固定枠B1を嵌着させるとともに、固定枠B1の頂板11に画成された取出口14を閉塞する蓋板23を固定枠B1に揺動可能に連結した蓋体Ｂとを備え、蓋体Ｂを離脱後にシール材５を剥離し、再び蓋体Ｂを嵌着して使用する開閉蓋付き容器であって、口頸部３を楕円筒状に形成するとともに、取出口14縁部に突設した連結片18を介して固定枠B1を取り外すためのプルリング19を突設したことを特徴とする開閉蓋付き容器。
【請求項２】
前記取出口14を大開口でスプーン用の第１取出口14a と、小開口で振り出し用の第２取出口14b とで構成してなる請求項１記載の開閉蓋付き容器。
【請求項３】
前記蓋板23が、前記固定枠B1の頂板11上に密嵌させた固定基板20にヒンジを介して揺動可能に連結した蓋板である請求項１記載の開閉蓋付き容器。
【請求項４】
前記取出口14が、固定枠B1の頂板11にそれぞれ穿設した大開口でスプーン用の第１取出口14a と、小開口で振り出し用の第２取出口14b とからなり、前記蓋板23が、第１取出口14a と第２取出口14b 間の頂板11上に密嵌させた固定基板20にそれぞれ第１ヒンジ21及び第２ヒンジ22を介して揺動可能に連結した第１蓋板23a と第２蓋板23b とからなり、第１蓋板23a の裏面より垂設した第１シール筒27a を第１取出口14a に密嵌させるとともに、第２蓋板23b の裏面より垂設した第２シール筒27b を第２取出口14b に密嵌させる如く構成し、第１取出口14a 縁部に前記連結片18を介して前記プルリング19を突設してなる請求項１記載の開閉蓋付き容器。
【発明の詳細な説明】
【技術分野】
【０００１】
本発明は開閉蓋付き容器に関する。
【背景技術】
【０００２】
容器体に対して、一部を開閉蓋部として構成した蓋体を装着したものが提案されている（例えば、特許文献１参照）。
【０００３】
上記蓋体は、容器体の開口部の一部を閉塞する固定蓋部と、固定蓋部にヒンジ部を介して連設された開閉自在の開閉蓋部とで天板部を構成し、天板部の周縁に一体に環状のスカート部を設け、スカート部に、容器体のネジ部に螺着する螺着部を設けている。また、スカート部の螺着部と開閉蓋部周縁との間に破断部を設け、破断部を破断して開閉蓋部を開閉可能としたとき、固定蓋部及びスカート部を介して容器体への連結状態が維持される如く構成している。
【特許文献１】特開２００４−３５０２２号公報
【発明の開示】
【発明が解決しようとする課題】
【０００４】
上記蓋体の場合には容器体の上端開口を閉塞して直接螺着しているため、開封前の運搬、或いは保管取り扱い時などに、振動や容器の傾倒等によって収納物が蓋体裏面に付着する場合があり、開封時に開閉蓋を開ければ付着した収納物が飛散する等で商品イメージを下げる虞れがある。その様な不都合を解消するために、容器体の口頸部上端を剥離可能なシール材にて密閉することが一般に行わるが、シール材を設けた場合には、開封に当たり一旦蓋体を容器体から外した後シール材を剥がし、再び蓋体を螺着して使用することとなる。
【０００５】
その場合、蓋体のみによる密閉性よりもはるかに良好な密閉性を得られる反面、蓋体の着脱の利便性を考慮すると口頸部の形状が円筒状に制限される。容器体の胴部の形状は円筒状に限らず、例えば楕円筒状や多角形筒状等種々の形状が一般に採用されるが、その場合、口頸部が胴部より大きくなるのは収納物を取り出す際に好ましくなく、従って、例えば口頸部が円形で胴部が楕円形の場合には、口頸部の径を胴部短径に併せなければならず、小径にならざるを得ない。従って、蓋体に於ける開口部もおのずから制限され、胴部の大きさによってはスプーン等の使用が不自由となる。
【０００６】
また、上記した如き蓋体の場合には破断部を破断して開閉蓋部を開閉可能にするため、破断部の強制的な破断によりその部分の若干の変形が生じる可能性は充分考えられ、従って、開閉蓋の密閉性にも影響を与える虞れがある。
【０００７】
本発明は上記した点に鑑みてなされたもので、流通時等に収納物が蓋体に付着する虞れがなく、また、開封前はもとより開封後も充分な気密性を得られ、取出口の大きさにも充分な自由度があり、スプーンを使用しての収納物の取り出しが容易に行える開閉蓋付き容器を提案する。
【課題を解決するための手段】
【０００８】
本発明の開閉蓋付き容器は、容器体と、蓋体とを備えている。
【０００９】
容器体は合成樹脂等により形成されたもので、胴部の上に口頸部を起立しており、口頸部は楕円筒状をなしている。また、口頸部の上端開口はシール材により閉塞されており、シール材はその周縁部を口頸部上に剥離可能に固着している。シール材は合成樹脂の単独構造或いは積層構造，或いは合成樹脂と金属薄膜層との積層構造等により形成される。シール材を剥離可能に固着する手段としては、例えばヒートシール，粘着剤を使用した貼着等が挙げられるがこれに限られない。
【００１０】
蓋体も合成樹脂等により形成され、固定枠と蓋板とを備えている。固定枠は口頸部の外周に突条相互の乗り越え係合により係止され、離脱可能に嵌着させる。また、その頂板には取出口が画成されている。取出口は一つ設けても複数設けても良いが、スプーン用の大開口の第１取出口と、振り出し用の小開口の第２取出口との対の形態が好ましく採用できる。
【００１１】
蓋板は固定枠に揺動可能に連結して取出口を開閉可能に閉塞するもので、取出口に密に嵌合して閉塞するシール筒を裏面より垂設している。蓋板は固定枠と一体に形成しても別体に形成しても良いが、別体に形成する場合には、必要に応じて蓋板を形成する樹脂と固定枠を形成する樹脂とを相違させることも可能である。蓋板の数は原則的に取出口の数に併せて設けると良く、取出口が上記対の場合には第１取出口に密嵌する第１シール筒を裏面より垂設した第１蓋板と、第２取出口に密嵌する第２シール筒を裏面より垂設した第２蓋板とを設ける。蓋板を固定枠に連結する手段としては、固定枠の頂板上に密嵌させた固定基板を介して蓋板をヒンジ等を介して揺動可能に連結すると良い。
【００１２】
また、固定枠には蓋体を取り外すためにプルリングを設けている。プルリングは連結片を介してシール材と蓋板との間に突設している。プルリングの突設位置は特に限定されないが、楕円長径の端部に位置する取出口縁部がより好ましい。
【００１３】
上記課題を解決するための第１の手段として、口頸部３の上端開口を剥離可能なシール材５で密閉シールした容器体Ａと、口頸部３の外周に突条相互の乗り越え係合により係止された固定枠B1を嵌着させるとともに、固定枠B1の頂板11に画成された取出口14を閉塞する蓋板23を固定枠B1に揺動可能に連結した蓋体Ｂとを備え、蓋体Ｂを離脱後にシール材５を剥離し、再び蓋体Ｂを嵌着して使用する開閉蓋付き容器であって、口頸部３を楕円筒状に形成するとともに、取出口14縁部に突設した連結片18を介して固定枠B1を取り外すためのプルリング19を突設した。
【００１４】
第２の手段として、前記第１の手段に於いて、前記取出口14を大開口でスプーン用の第１取出口14a と、小開口で振り出し用の第２取出口14b とで構成した。
【００１５】
第３の手段として、前記第１の手段に於いて、前記蓋板23が、前記固定枠B1の頂板11上に密嵌させた固定基板20にヒンジを介して揺動可能に連結した蓋板である。
【００１６】
第４の手段として、前記第１の手段に於いて、前記取出口14が、固定枠B1の頂板11にそれぞれ穿設した大開口でスプーン用の第１取出口14a と、小開口で振り出し用の第２取出口14b とからなり、前記蓋板23が、第１取出口14a と第２取出口14b 間の頂板11上に密嵌させた固定基板20にそれぞれ第１ヒンジ21及び第２ヒンジ22を介して揺動可能に連結した第１蓋板23a と第２蓋板23b とからなり、第１蓋板23a の裏面より垂設した第１シール筒27a を第１取出口14a に密嵌させるとともに、第２蓋板23b の裏面より垂設した第２シール筒27b を第２取出口14b に密嵌させる如く構成し、第１取出口14a 縁部に前記連結片18を介して前記プルリング19を突設した。
【発明の効果】
【００１７】
本発明の開閉蓋付き容器は、シール材５を剥がすために一旦蓋体Ｂを取り外した後再び嵌着するという操作が、口頸部３が楕円筒状であるにも拘わらず容易で、その結果、取出口の大きさを充分大きく取ることができ、スプーンを使用しての収納物の取り出しを容易に行える。しかも、シール材５の存在で流通時に収納物が蓋体に付着する虞れがなく、プルリング19を掴んで引っ張るという簡単な操作により蓋体Ｂを容易に取り外すことができ、容易に開封することができる。また、開封前はもとより開封後も充分な気密性を得られる。
【００１８】
前記取出口14を大開口でスプーン用の第１取出口14a と、小開口で振り出し用の第２取出口14b とで構成した場合にはスプーンでの所定量の取り出しの他に、第２取出口14b からの目分量の振り出しを行える。
【００１９】
前記蓋板23が、前記固定枠B1の頂板11上に密嵌させた固定基板20にヒンジを介して揺動可能に連結した蓋板である如く構成した場合には、蓋板23を固定枠B1と別材質で形成することができ、例えば、蓋板23を比較的柔らかい材質を選択することにより気密性を高める等の選択ができ、また、蓋板23及び固定枠B1の色や形を種々取り揃えることにより、蓋板23の交換だけで多数種類の容器を現出できる利点もある。
【００２０】
第４の手段の開閉蓋付き容器では、蓋板23と固定枠B1との組み付けが容易に行えるとともに、蓋板23を組み付けた固定枠B1の容器体Ａへの組み付けも極めて容易である。また、必要に応じて収納物をスプーンを使用して取り出すことも、或いは第２取出口14b から直接振り出すこともできて便利である。更に、各シール筒27が各取出口14に密嵌するため、開封後の気密性も充分得られる。
【発明を実施するための最良の形態】
【００２１】
以下、本発明の実施例の形態を図面を参照して説明する。
【００２２】
図１乃至図３は開閉蓋付き容器の一例を示し、該容器１は、容器体Ａと、蓋体Ｂとを備えている。
【００２３】
容器体Ａは合成樹脂により形成されたもので、筒状胴部２上に口頸部３を起立しており、口頸部３の外周面は胴部２の外周面から縮径した小径に構成している。また、口頸部３外周には係止突条４を突周設している。また、容器体Ａには口頸部３の上端開口を閉塞するシール材５を設けている。シール材５は合成樹脂と金属薄膜層との積層構造で、周縁下面を口頸部３上面にヒートシールして剥離可能に固着している。シール材５の周縁部は口頸部３外周より外方へ突設して剥離し易い様に構成している。
【００２４】
蓋体Ｂは合成樹脂により形成され、固定枠B1と蓋板部材B2とを備えている。固定枠B1は、口頸部３外周に嵌合させた嵌合筒10を頂板11の周縁部裏面より垂設し、頂板11の外周縁からは外周壁12を垂設している。嵌合筒10は、前記係止突条４に乗り越え係合させた係合突条13を内周下部に突周設しており、口頸部３に対して離脱可能に嵌合している。
【００２５】
頂板11には取出口14としての第１取出口14a と、第２取出口14b とを設けている。第１取出口14a は大開口でスプーン用であり、また、第２取出口14b は小開口で振り出し用である。また、第１取出口14a と第２取出口14b の間の頂板11には、蓋板部材B2を係止するための筒部15が間隔をあけて三箇所立設しており、各筒部15内にそれぞれ環状の係止凸部16を突周設している。
【００２６】
蓋板部材B2は、頂板11上に固定した固定基板20にそれぞれ第１ヒンジ21及び第２ヒンジ22を介して蓋板23としての第１蓋板23a 及び第２蓋板23b を揺動可能に連結して構成している。固定基板20の裏面には、各筒部15内に嵌合する固定用筒25を三箇所垂設している。各固定用筒25はそれぞれ筒部15内に嵌合し、外周下部に突設した係合凸部26を前記係止凸部16に乗り越え係合させて固定している。第１蓋板23a 及び第２蓋板23b のヒンジ対向部分以外の外周縁部は固定枠B1の外周縁と同様形状をなしている。また、蓋板23はシール筒27を備えており、第１蓋板23a の裏面からは第１シール筒27a を、第２蓋板23b の裏面からは第２シール筒27b をそれぞれ垂設している。第１シール筒27a は第１取出口14a に密嵌し、第２シール筒27b は第２取出口14b に密嵌する如く構成している。更に、各蓋板の先端部に対応する固定枠B1の部分にはそれぞれ指掛け用の凹部17を設けている。
【００２７】
本発明では、取出口14縁部から可撓性の連結片18を介して蓋板23とシール材５との間にプルリング19を突設している。プルリング19は第１取出口14a に設けられ、楕円長径上の下端部に連結片18を位置させて設けている。
【００２８】
上記の如く構成した開閉蓋付き容器１は図１の状態から指掛け用の凹部17の部分から第１蓋板23a を持ち上げて開いた後、図３(a) に示す如くプルリング19を引き上げて図３(b) に示す如く固定枠B1を容器体Ａから取り外し、シール材５を剥がす。次いで、図３(c) に示す如く、再び蓋体Ｂを嵌着して使用する。その場合プルリング19は下方に垂設した状態で邪魔にならないように使用する。
【図面の簡単な説明】
【００２９】
【図１】本発明開閉蓋付き容器の要部縦断面図である。（実施例１）
【図２】本発明開閉蓋付き容器の平面図である。（実施例１）
【図３】本発明開閉蓋付き容器の作用を説明する説明図である。（実施例１）。
【符号の説明】
【００３０】
３…口頸部，５…シール材，11…頂板，14…取出口，14a …第１取出口，
14b …第２取出口，18…連結片，19…プルリング，21…第１ヒンジ，22…第２ヒンジ，  20…固定基板，23…蓋板，23a …第１蓋板，23b …第２蓋板，27…シール筒，
27a …第１シール筒，27b …第２シール筒，Ａ…容器体，Ｂ…蓋体，B1…固定枠
【図１】
2007261674.tif 000003
【図２】
2007261674.tif 000004
【図３】
2007261674.tif 000005